(57)【要約】  本開示の一態様に係るユーザ端末は、上り共有チャネルの送信を指示する下り制御情報（ＤＣＩ：Downlink  Control  Information）を受信する受信部と、前記ＤＣＩに含まれる時間ドメインリソース割り当て（ＲＡ：Resource  Allocation）フィールドのサイズが、前記ＤＣＩのフォーマットに応じて異なると判断し、当該フィールドに基づいて、前記上り共有チャネルの送信を制御する制御部と、を有することを特徴とする。本開示の一態様によれば、ＰＵＳＣＨ時間ドメインＲＡの候補数を適切に制御できる。
2019193733.tif 000002
【特許請求の範囲】
【請求項１】
上り共有チャネルの送信を指示する下り制御情報（ＤＣＩ：Downlink  Control  Information）を受信する受信部と、
前記ＤＣＩに含まれる時間ドメインリソース割り当て（ＲＡ：Resource  Allocation）フィールドのサイズが、前記ＤＣＩのフォーマットに応じて異なると判断し、当該フィールドに基づいて、前記上り共有チャネルの送信を制御する制御部と、を有することを特徴とするユーザ端末。
【請求項２】
前記制御部は、前記ＤＣＩのフォーマットがＤＣＩフォーマット０＿１である場合、前記フィールドのサイズが最大６ビットであると想定することを特徴とする請求項１に記載のユーザ端末。
【請求項３】
前記制御部は、前記ＤＣＩのフォーマットがＤＣＩフォーマット０＿０である場合、前記フィールドのサイズが４ビットであると想定することを特徴とする請求項１又は請求項２に記載のユーザ端末。
【請求項４】
前記制御部は、前記ＤＣＩがユーザ端末固有サーチスペースにおいて受信された場合、又は前記ＤＣＩが共通サーチスペースにおいて受信され、かつＣ−ＲＮＴＩ（Cell-Radio  Network  Temporary  Identifier）によってＣＲＣ（Cyclic  Redundancy  Check）スクランブルされている場合、ＤＣＩフォーマット０＿１に関する時間ドメインＲＡ候補のリストに基づいて、前記上り共有チャネルの送信を制御することを特徴とする請求項３に記載のユーザ端末。
【請求項５】
前記制御部は、前記ＤＣＩが共通サーチスペースにおいて受信され、かつＴＣ−ＲＮＴＩ（Temporary  C-RNTI）によってＣＲＣスクランブルされている場合、又は前記ＤＣＩがランダムアクセスレスポンスに含まれる場合、ＤＣＩフォーマット０＿１に関する時間ドメインＲＡ候補のリストとは異なる時間ドメインＲＡ候補のリストに基づいて、前記上り共有チャネルの送信を制御することを特徴とする請求項４に記載のユーザ端末。
【請求項６】
上り共有チャネルの送信を指示する下り制御情報（ＤＣＩ：Downlink  Control  Information）を送信する送信部と、
前記ＤＣＩに含まれる時間ドメインリソース割り当て（ＲＡ：Resource  Allocation）フィールドのサイズを、前記ＤＣＩのフォーマットに応じて異ならせる制御をする制御部と、を有することを特徴とする無線基地局。
【発明の詳細な説明】
【技術分野】
【０００１】
本開示は、次世代移動通信システムにおけるユーザ端末及び無線基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）では、ユーザ端末（ＵＥ：User  Equipment）は、ＵＬデータ（ＵＬ−ＳＣＨ：Uplink  Shared  Channel）の割り当てを指示する下り制御情報（ＵＬグラント（Uplink  grant）と呼ばれてもよい）を無線基地局（例えば、ｅＮＢ（eNodeB））から受信し、当該ＵＬグラントの受信から既定のタイミング後（４ｍｓ後）に、当該ＵＬグラントに基づくＵＬデータ送信を行う。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、ＵＬグラントにＰＵＳＣＨの時間リソースを指示する情報を含めることが検討されている。時間リソースの候補については、上位レイヤによって設定される。【０００７】
しかしながら、当該時間リソースの候補数がこれまで検討されている最大数で十分かなどについて、十分検討がなされていない。当該時間リソースの候補数及びこれに基づくＵＥ動作について適切に規定しなければ、通信スループット、周波数利用効率などの低下が生じるおそれがある。【０００８】
そこで、本開示は、ＰＵＳＣＨ時間ドメインＲＡの候補数を適切に制御できるユーザ端末及び無線基地局を提供することを目的の１つとする。
【課題を解決するための手段】
【０００９】
本開示の一態様に係るユーザ端末は、上り共有チャネルの送信を指示する下り制御情報（ＤＣＩ：Downlink  Control  Information）を受信する受信部と、前記ＤＣＩに含まれる時間ドメインリソース割り当て（ＲＡ：Resource  Allocation）フィールドのサイズが、前記ＤＣＩのフォーマットに応じて異なると判断し、当該フィールドに基づいて、前記上り共有チャネルの送信を制御する制御部と、を有することを特徴とする。
【発明の効果】
【００１０】
本開示の一態様によれば、ＰＵＳＣＨ時間ドメインＲＡの候補数を適切に制御できる。
【図面の簡単な説明】
【００１１】
【図１】図１Ａ及び１Ｂは、一実施形態に係るＰＵＳＣＨ時間ドメインＲＡリストの設定の一例を示す図である。
【図２】図２は、一実施形態に係る無線通信システムの概略構成の一例を示す図である。
【図３】図３は、一実施形態に係る無線基地局の全体構成の一例を示す図である。
【図４】図４は、一実施形態に係る無線基地局の機能構成の一例を示す図である。
【図５】図５は、一実施形態に係るユーザ端末の全体構成の一例を示す図である。
【図６】図６は、一実施形態に係るユーザ端末の機能構成の一例を示す図である。
【図７】図７は、一実施形態に係る無線基地局及びユーザ端末のハードウェア構成の一例を示す図である。
【発明を実施するための形態】
【００１２】
ＮＲでは、ビームフォーミング（ＢＦ：Beam  Formfng）を利用して通信を行うことが検討されている。例えば、ＵＥ及び／又は基地局（例えば、ｇＮＢ（gNodeB））は、信号の送信に用いられるビーム（送信ビーム、Ｔｘビームなどともいう）、信号の受信に用いられるビーム（受信ビーム、Ｒｘビームなどともいう）を用いてもよい。
【００１３】
ＢＦは、例えば、超多素子アンテナを用いて、各素子から送信／受信される信号の振幅及び／又は位相を制御（プリコーディングとも呼ばれる）することによって、ビーム（アンテナ指向性）を形成する技術である。なお、このような超多素子アンテナを用いるＭＩＭＯ（Multiple  Input  Multiple  Output）は、大規模ＭＩＭＯ（massive  MIMO）とも呼ばれる。
【００１４】
ＢＦは、デジタルＢＦ及びアナログＢＦに分類できる。デジタルＢＦは、ベースバンド上で（デジタル信号に対して）プリコーディング信号処理を行う方法であり、任意のタイミングにおいてアンテナポート（又はＲＦチェーン（RF  chain））数に応じた数だけビームを形成できる。
【００１５】
アナログＢＦは、ＲＦ（Radio  Frequency）上で位相シフト器を用いる方法である。この場合、ＲＦ信号の位相を回転させるだけなので、構成が容易で安価に実現できるが、同じタイミングで複数のビームを形成することができない。
【００１６】
なお、デジタルＢＦとアナログＢＦとを組み合わせたハイブリッドＢＦ構成も実現可能である。膨大な数のビーム形成をデジタルＢＦだけで行う場合、回路構成が高価になってしまうため、特に大規模ＭＩＭＯにおいては好適であると想定される。
【００１７】
ＮＲにおいて、ＵＥは、第１の周波数帯（ＦＲ１：Frequency  Range  1）及び第２の周波数帯（ＦＲ２：Frequency  Range  2）の少なくとも１つの周波数帯（キャリア周波数）を用いて通信（信号の送受信、測定など）を行ってもよい。
【００１８】
例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。ＦＲ１は、サブキャリア間隔（ＳＣＳ：Sub-Carrier  Spacing）として１５、３０及び６０ｋＨｚのうちから少なくとも１つが用いられる周波数レンジと定義されてもよい。ＦＲ２は、ＳＣＳとして６０及び１２０ｋＨｚのうちから少なくとも１つが用いられる周波数レンジと定義されてもよい。なお、ＦＲ１及びＦＲ２の周波数帯、定義などはこれらに限られず、例えばＦＲ１がＦＲ２よりも高い周波数帯であってもよい。
【００１９】
ＦＲ２は、時分割複信（ＴＤＤ：Time  Division  Duplex）バンドのみに用いられてもよい。ＦＲ２は、複数の基地局間において同期運用されることが好ましい。ＦＲ２に複数のキャリアが含まれる場合、これらのキャリアは同期運用されることが好ましい。
【００２０】
ＦＲ２ではアナログＢＦが有望な技術である。ｇＮＢの観点から見ると、下り送信及び上り受信に同じビームを用いることが好ましい。ここで、下り送信は、例えば、下り制御チャネル（ＰＤＣＣＨ：Physical  Downlink  Control  Channel）、下り共有チャネル（ＰＤＳＣＨ：Physical  Downlink  Shared  Channel）などの送信に該当する。また、上り受信は、例えば、上り制御チャネル（例えば、ＰＵＣＣＨ：Physical  Uplink  Control  Channel）、上り共有チャネル（例えば、ＰＵＳＣＨ：Physical  Uplink  Shared  Channel）などの受信に該当する。
【００２１】
ところで、既存のＬＴＥ（例えば、ＬＴＥ  Ｒｅｌ．８−１３）では、ＵＥにおけるＰＤＳＣＨ（又はＰＤＳＣＨをスケジューリングするＰＤＣＣＨ）の受信に対応するＰＵＣＣＨ（例えば、ＨＡＲＱ−ＡＣＫ）の送信、ＵＥにおけるＰＤＣＣＨの受信に対応するＰＵＳＣＨの送信などのタイミングは、予め仕様によって、各受信から４サブフレーム後であると定められていた。
【００２２】
一方、ＮＲでは、ＰＤＣＣＨによって通知される下り制御情報（ＤＣＩ：Downlink  Control  Information）に、対応するＰＵＳＣＨ又はＰＵＣＣＨの時間ドメインリソース割り当て（ＲＡ：Resource  Allocation）に関する情報（送信タイミングを指示する情報と呼ばれてもよい）を含めることが検討されている。
【００２３】
例えば、ＮＲでは、ＵＥに対して、ＵＬデータのＵＬ割り当てのタイミングに関する時間ドメイン割り当てのリスト（List  of  time  domain  allocations  for  timing  of  UL  assignment  to  UL  data）が上位レイヤシグナリングを用いて設定されることが検討されている。当該リストは、ＰＵＳＣＨ時間ドメインＲＡリストなどと呼ばれてもよい。
【００２４】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２５】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２６】
ＰＵＳＣＨ時間ドメインＲＡリストは、ＲＲＣシグナリングの「pusch-AllocationList」情報要素（ＩＥ：Information  Element）に該当してもよい。ＰＵＳＣＨ時間ドメインＲＡリストは、ＰＵＳＣＨ時間ドメインＲＡの候補（シーケンスの要素、エントリなどと呼ばれてもよい）を最大１６個含むことが検討されている。
【００２７】
各候補は、ＰＤＣＣＨ及びＰＵＳＣＨの時間ドメインの関係を設定するためのＩＥ（「PUSCH-TimeDomainResourceAllocation」IE）に該当する。当該ＩＥは、例えば、パラメータＫ２（ＰＤＣＣＨを受信したスロット及びＰＵＳＣＨ送信を行うスロットのタイミングの差分）、復調用参照信号（ＤＭＲＳ：DeModulation  Reference  Signal）のマッピング構成を示すマッピングタイプ、ＰＵＳＣＨ開始シンボル及びシンボル単位の長さを示す値（ＳＬＩＶ（Start/Length  Indication  Value）と呼ばれてもよい）などを含んでもよい。
【００２８】
また、上りデータ送信のスケジューリングのためのＤＣＩフォーマット（ＤＣＩフォーマット０＿０及びＤＣＩフォーマット０＿１）には、上述のＰＵＳＣＨ時間ドメインＲＡリストのインデックスを示す時間ドメインＲＡフィールドを含むことが検討されている。当該フィールドのサイズは、最大１６個のエントリに対応するため、４ビットとすることが検討されている。当該インデックスは、ＰＵＳＣＨ時間リソース指示情報と呼ばれてもよい。
【００２９】
なお、ＤＣＩフォーマット０＿０は、フォールバック用ＤＣＩ、フォールバック用ＵＬグラント、１つのセルのＰＵＳＣＨのスケジューリングに用いられるＤＣＩフォーマットなどの文言で読み替えられてもよい。フォールバックＤＣＩ（fallback  DCI）は、例えば、共通サーチスペース（Ｃ−ＳＳ：Common  Search  Space）及びＵＥ固有サーチスペース（ＵＥ−ＳＳ：UE-specific  Search  Space）の少なくとも一方において送信されるＤＣＩであって、ＵＥ固有の上位レイヤシグナリングによって構成を設定できないＤＣＩであってもよい。
【００３０】
ＵＥ−ＳＳは、ＵＥごとに設定されるサーチスペースを意味し、Ｃ−ＳＳは、複数のＵＥに共通に設定されるサーチスペースを意味してもよい。あるいは、ＵＥ−ＳＳは、サーチスペースがマッピングされるリソースが、セル−無線ネットワーク一時識別子（Ｃ−ＲＮＴＩ：Cell-Radio  Network  Temporary  Identifier）及びユーザ端末識別子（ＵＥ−ＩＤ：UE  Identidier）の少なくとも１つに基づいて決定されるサーチスペースを意味し、Ｃ−ＳＳは、Ｃ−ＲＮＴＩ及びＵＥ−ＩＤのいずれにも基づかないリソースが用いられるサーチスペースを意味してもよい。または、ＵＥ−ＳＳは、ＵＥ個別の上位レイヤシグナリングに基づいて設定されるサーチスペースを意味し、Ｃ−ＳＳは、ブロードキャスト情報などのＵＥ共通の上位レイヤシグナリングに基づいて設定されるサーチスペースであってもよい。
【００３１】
ＤＣＩフォーマット０＿１は、ノンフォールバック用ＤＣＩ、ノンフォールバック用ＵＬグラント、ＤＣＩフォーマット０＿０よりもペイロード（ビット数）が大きいＤＣＩフォーマットなどの文言で読み替えられてもよい。ノンフォールバックＤＣＩ（non-fallback  DCI）は、例えば、ＵＥ−ＳＳにおいて送信されるＤＣＩであって、ＵＥ固有の上位レイヤシグナリング（例えば、ＲＲＣシグナリング）によって構成（内容、ペイロードなど）を設定可能なＤＣＩであってもよい。
【００３２】
なお、フォールバックＤＣＩについても、ＵＥ共通の上位レイヤシグナリング（例えばブロードキャスト情報、システム情報など）によって構成（内容、ペイロードなど）が設定可能であってもよい。
【００３３】
以上説明したように、ＮＲでは、ＰＵＳＣＨ時間ドメインＲＡリストを利用してＰＵＳＣＨリソースを調整することができる。最大１６個のＲＡ候補で十分かについては、まだ検討が十分なされていない。本発明者らは、以下のように検討した。
【００３４】
例えば、ＤＬ／ＵＬのビームパターンを固定することは好ましくない。ビーム間のトラフィック差に基づいて、当該ビームパターンがｇＮＢによって決定されることが好ましい。したがって、時間的に柔軟なＤＬ／ＵＬビームパターンを実現するためには、ＰＵＳＣＨ時間ドメインＲＡの候補数をより多くすることが好ましい。
【００３５】
また、あるビームについてＤＬとＵＬとの時間差を固定にすることは好ましくない。ＤＬ／ＵＬ間のトラフィック差に基づいて、ビームパターンにおけるＤＬ／ＵＬ割り当てがｇＮＢによって決定されることが好ましい。したがって、ビームについて柔軟なＤＬ／ＵＬ割り当てを実現するためには、ＰＵＳＣＨ時間ドメインＲＡの候補数をより多くすることが好ましい。
【００３６】
また、ＳＬＩＶを固定にすることは好ましくない。ビーム間のトラフィック差を考慮すると、ＰＵＳＣＨの長さ（継続時間（duration））は柔軟にすることが好ましい。短い継続時間は、ＵＬバースト内の多数のビームによるより高いＤＭＲＳオーバヘッドを引き起こす。したがって、柔軟なＰＵＳＣＨ継続時間を実現するためには、ＰＵＳＣＨ時間ドメインＲＡの候補数をより多くすることが好ましい。
【００３７】
とはいえ、常にＰＵＳＣＨ時間ドメインＲＡの候補数を大きくすることは、通信オーバヘッドの観点から好ましくない。ＰＵＳＣＨ時間ドメインＲＡの候補数及びこれに基づくＵＥ動作について適切に規定しなければ、通信スループット、周波数利用効率などの低下が生じるおそれがある。
【００３８】
そこで、本発明者らは、ＰＵＳＣＨ時間ドメインＲＡの候補数を適切に制御（設定）する方法を着想した。
【００３９】
以下、本開示に係る実施形態について、図面を参照して詳細に説明する。各実施形態に係る無線通信方法は、それぞれ単独で適用されてもよいし、組み合わせて適用されてもよい。
【００４０】
（無線通信方法）
一実施形態において、ＰＵＳＣＨ時間ドメインＲＡリストに含まれるＲＡ候補数は、１６を超えてもよい。この場合、ＤＣＩに含まれる時間ドメインＲＡフィールドのビット数は、４ビットを超えてもよい。
【００４１】
例えば、ＤＣＩフォーマット０＿１の時間ドメインＲＡフィールドのビット数は、６ビットであってもよく、ＵＥは、当該時間ドメインＲＡフィールドの値に基づいて、ＰＵＳＣＨ時間ドメインＲＡリストに含まれる最大６４エントリまでのうち１つを決定してもよい。
【００４２】
なお、本明細書における「６４」は、「１６」よりも大きい任意の数で読み替えられてもよい。この場合の時間ドメインＲＡフィールドのビット数は、Ｎ（当該任意の数≦２Ｎを満たす）で読み替えられてもよい。
【００４３】
また、一実施形態において、ＤＣＩフォーマット０＿０の時間ドメインＲＡフィールドのビット数は、ＤＣＩフォーマット０＿１の時間ドメインＲＡフィールドのビット数と異なってもよい。例えば、ＤＣＩフォーマット０＿０の時間ドメインＲＡフィールドのビット数は、ＤＣＩフォーマット０＿１の時間ドメインＲＡフィールドのビット数以下又は未満であってもよい。例えば、ＤＣＩフォーマット０＿０の時間ドメインＲＡフィールドのビット数は、所定の値（例えば、４）で固定であってもよい（仕様で規定されてもよい）し、最大４ビットであると規定されてもよい。
【００４４】
また、一実施形態において、ランダムアクセス手順中に用いられるランダムアクセスレスポンス（ＲＡＲ：Random  Access  Response）に含まれるＵＬ送信指示（ＵＬグラント）の時間ドメインＲＡフィールド（Msg3  PUSCH  time  resource  allocation  field）は、ＤＣＩフォーマット０＿０の時間ドメインＲＡフィールドのビット数と同じであってもよいし、所定の値（例えば、４）で固定であってもよい（仕様で規定されてもよい）。
【００４５】
なお、ＲＡＲに含まれるＵＬグラントは、ランダムアクセス手順におけるメッセージ３用のＰＵＳＣＨをスケジュールするための情報であって、ＲＡＲ  ＵＬグラント、ＲＡＲグラントフィールドなどと呼ばれてもよい。ＲＡＲは、ＭＡＣ  ＣＥ及びＭＡＣ  ＰＤＵの少なくとも一方を用いて通知されてもよい。ＵＥは、ＲＡＲ  ＵＬグラントが指定するＵＬリソースで、メッセージ３（上位レイヤの制御メッセージ）を送信する。
【００４６】
ＵＥは、異なるＤＣＩフォーマットについて、異なるＰＵＳＣＨ時間ドメインＲＡリストを参照してもよいし、同じＰＵＳＣＨ時間ドメインＲＡリストを参照してもよい。ＵＥは、同じＤＣＩフォーマットであっても、所定の条件に基づいて、異なるＰＵＳＣＨ時間ドメインＲＡリストを参照してもよい。
【００４７】
例えば、ＵＥは、Ｕ−ＳＳにおいて受信（検出）されるＤＣＩフォーマット０＿０については、ＤＣＩフォーマット０＿１について参照するのと同じＰＵＳＣＨ時間ドメインＲＡリストの少なくとも一部を用いてもよい。
【００４８】
例えば、ＵＥは、Ｕ−ＳＳにおいて受信されるＤＣＩフォーマット０＿０の時間ドメインＲＡフィールドの値に基づいて、ＤＣＩフォーマット０＿１について参照するＰＵＳＣＨ時間ドメインＲＡリストに含まれる最大６４エントリの特定の１６エントリのうち１つを決定してもよい。ここで、特定の１６エントリは、ＤＣＩフォーマット０＿１について参照するＰＵＳＣＨ時間ドメインＲＡリストに含まれる最初の１６エントリであってもよい。
【００４９】
ＵＥは、Ｃ−ＳＳにおいて受信され、かつセル−無線ネットワーク一時識別子（Ｃ−ＲＮＴＩ：Cell-Radio  Network  Temporary  Identifier）によってＣＲＣ（Cyclic  Redundancy  Check）スクランブルされるＤＣＩフォーマット０＿０については、ＤＣＩフォーマット０＿１について参照するのと同じＰＵＳＣＨ時間ドメインＲＡリストの少なくとも一部（例えば、上述の特定の１６エントリ）を用いてもよい。
【００５０】
ＵＥは、Ｃ−ＳＳにおいて受信され、かつ一時的Ｃ−ＲＮＴＩ（ＴＣ−ＲＮＴＩ：Temporary  C-RNTI）によってＣＲＣスクランブルされるＤＣＩフォーマット０＿０（ランダムアクセス手順中に用いられるＤＣＩフォーマット０＿０であってもよい）については、ＤＣＩフォーマット０＿１について参照するのとは異なるＰＵＳＣＨ時間ドメインＲＡリストを用いてもよい。
【００５１】
例えば、ＵＥは、Ｃ−ＳＳにおいて受信され、かつＴＣ−ＲＮＴＩによってＣＲＣスクランブルされるＤＣＩフォーマット０＿０の時間ドメインＲＡフィールドの値に基づいて、ＤＣＩフォーマット０＿１について参照するＰＵＳＣＨ時間ドメインＲＡリストとは異なるリストに含まれる最大１６エントリのうち１つを決定してもよい。
【００５２】
ＵＥは、ＲＡＲ  ＵＬグラントについては、ＤＣＩフォーマット０＿１について参照するのとは異なるＰＵＳＣＨ時間ドメインＲＡリストを用いてもよい。
【００５３】
なお、ＵＥは、ＤＣＩフォーマット０＿０が受信されるサーチスペースに関わらず（Ｃ−ＳＳであってもＵＥ−ＳＳであっても）、ＤＣＩフォーマット０＿０については、常に１６エントリのＰＵＳＣＨ時間ドメインＲＡリストを参照してもよい。
【００５４】
＜設定例＞
以下、具体的な設定の一例を説明する。図１Ａ及び１Ｂは、一実施形態に係るＰＵＳＣＨ時間ドメインＲＡリストの設定の一例を示す図である。なお、図１Ａ及び１Ｂではマッピングタイプについては省略している。また、Ｋ２及びＳＬＩＶの値は図示される値に限定されない。
【００５５】
セル固有のＰＵＳＣＨパラメータを設定するために用いられるＩＥ（「PUSCH-ConfigCommon」IE）に含まれるpusch-AllocationListは、「SEQUENCE  (SIZE(1..16))  OF  PUSCH-TimeDomainResourceAllocation」と規定されてもよい。なお、本開示におけるＩＥに関する記法はＡＳＮ．１（Abstract  Syntax  Notation  One）に従う。
【００５６】
図１Ａは、「PUSCH-ConfigCommon」IEに含まれるpusch-AllocationListによって設定されるＰＵＳＣＨ時間ドメインＲＡリストに対応する。当該ＲＡリストの候補数は、１６である。
【００５７】
一方で、ＵＥ固有のＰＵＳＣＨパラメータを設定するために用いられるＩＥ（「PUSCH-Config」IE）に含まれるpusch-AllocationListは、「SEQUENCE  (SIZE(1..maxNrofUL-Allocations))  OF  PUSCH-TimeDomainResourceAllocation」と規定されてもよい。ここで、maxNrofUL-AllocationsはＰＵＳＣＨの時間ドメインＲＡ候補の最大数を示す整数であって、例えば６４と規定されてもよい。
【００５８】
つまり、ＵＥは、「PUSCH-ConfigCommon」IEに含まれるpusch-AllocationListの少なくとも一部が、「PUSCH-Config」IEに含まれるpusch-AllocationListによって上書き（override）されないと想定してもよい。
【００５９】
図１Ｂは、「PUSCH-Config」IEに含まれるpusch-AllocationListによって設定されるＰＵＳＣＨ時間ドメインＲＡリストに対応する。当該ＲＡリストの候補数は、６４である。
【００６０】
ＵＥは、ＤＣＩフォーマット０＿１を検出した場合、当該ＤＣＩの時間ドメインＲＡフィールドのビット数が６ビットであると判断し、図１Ｂのリスト及び当該時間ドメインＲＡフィールドの値に基づいて、ＰＵＳＣＨ時間リソースを決定し、当該時間リソースのＰＵＳＣＨを用いてデータを送信してもよい。
【００６１】
ＵＥは、Ｕ−ＳＳにおいてＤＣＩフォーマット０＿０を検出した場合、又はＣ−ＳＳにおいてＣ−ＲＮＴＩによってＣＲＣスクランブルされるＤＣＩフォーマット０＿０を検出した場合、当該ＤＣＩの時間ドメインＲＡフィールドのビット数が４ビットであると判断し、図１Ｂのリストの最初１６エントリ及び当該時間ドメインＲＡフィールドの値に基づいて、ＰＵＳＣＨ時間リソースを決定し、当該時間リソースのＰＵＳＣＨを用いてデータを送信してもよい。
【００６２】
ＵＥは、Ｃ−ＳＳにおいてＴＣ−ＲＮＴＩによってＣＲＣスクランブルされるＤＣＩフォーマット０＿０を検出した場合、又はＲＡＲ  ＵＬグラントを受信した場合、当該ＤＣＩ（又はＵＬグラント）の時間ドメインＲＡフィールドのビット数が４ビットであると判断し、図１Ａのリスト及び当該時間ドメインＲＡフィールドの値に基づいて、ＰＵＳＣＨ時間リソースを決定し、当該時間リソースのＰＵＳＣＨを用いてデータを送信してもよい。
【００６３】
以上説明した一実施形態によれば、ＤＣＩフォーマットの種別、ＵＥ固有のＰＵＳＣＨか否か（又はスケジューリングＤＣＩがＵＥ−ＳＳで送信されるか否か）などに応じて、利用する時間ドメイン割り当てのリストの粒度を適応的に変更できる。
【００６４】
なお、本開示のＰＵＳＣＨは、上りデータなしのＵＣＩ  ｏｎ  ＰＵＳＣＨ（UCI  on  PUSCH  without  UL-SCH）を含んでもよい。この場合、「データ」は「上り制御情報（ＵＣＩ：Uplink  Control  Information）」で読み替えられてもよい。
【００６５】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００６６】
図２は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及びデュアルコネクティビティ（ＤＣ）の少なくとも一方を適用することができる。
【００６７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００６８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００６９】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００７０】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００７１】
また、ユーザ端末２０は、各セルで、時分割複信（ＴＤＤ：Time  Division  Duplex）及び周波数分割複信（ＦＤＤ：Frequency  Division  Duplex）の少なくとも１つを用いて通信を行うことができる。また、各セル（キャリア）では、単一のニューメロロジーが適用されてもよいし、複数の異なるニューメロロジーが適用されてもよい。
【００７２】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００７３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００７４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００７５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００７６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及びＯＦＤＭＡの少なくとも一方が適用される。
【００７７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００７８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００７９】
下り制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及びＰＵＳＣＨの少なくとも一方のスケジューリング情報を含む下り制御情報（ＤＣＩ：Downlink  Control  Information）などが伝送される。
【００８０】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００８１】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【００８２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００８３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００８４】
（無線基地局）
図３は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００８５】
下りリンクによって無線基地局１０からユーザ端末２０に送信されるユーザデータは、上位局装置３０から伝送路インターフェース１０６を介してベースバンド信号処理部１０４に入力される。
【００８６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００８７】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００８８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００８９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【００９０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【００９１】
図４は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【００９２】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【００９３】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【００９４】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【００９５】
制御部３０１は、システム情報、下りデータ信号（例えば、下り共有チャネルを用いて送信される信号）、下り制御信号（例えば、下り制御チャネルを用いて送信される信号）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【００９６】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【００９７】
制御部３０１は、上りデータ信号（例えば、上り共有チャネルを用いて送信される信号）、上り制御信号（例えば、上り制御チャネルを用いて送信される信号）、ランダムアクセスプリアンブル、上り参照信号などのスケジューリングを制御する。
【００９８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【００９９】
送信信号生成部３０２は、例えば、制御部３０１からの指示に基づいて、下りデータの割り当て情報を通知するＤＬアサインメント及び上りデータの割り当て情報を通知するＵＬグラントの少なくとも一方を生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１００】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１０１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１０２】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び受信処理後の信号の少なくとも一方を、測定部３０５に出力する。
【０１０３】
測定部３０５は、受信した信号に関する測定を実施する。測定部３０５は、本開示に係る技術分野での共通認識に基づいて説明される測定器、測定回路又は測定装置から構成することができる。
【０１０４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１０５】
なお、送受信部１０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１０６】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１０７】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１０８】
また、送受信部１０３は、上り共有チャネル（ＰＵＳＣＨ）の送信を指示する下り制御情報（ＤＣＩ）を送信してもよい。送受信部１０３は、当該ＤＣＩに基づいて送信されたＰＵＳＣＨを受信してもよい。
【０１０９】
また、制御部３０１は、前記ＤＣＩに含まれる時間ドメインリソース割り当て（ＲＡ：Resource  Allocation）フィールドのサイズを、前記ＤＣＩのフォーマットに応じて異ならせる制御をしてもよい。
【０１１０】
（ユーザ端末）
図５は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１１３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１１４】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１１５】
図６は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１１６】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１１７】
制御部４０１は、ユーザ端末２０全体の制御を実施する。制御部４０１は、本開示に係る技術分野での共通認識に基づいて説明されるコントローラ、制御回路又は制御装置から構成することができる。
【０１１８】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１１９】
制御部４０１は、無線基地局１０から送信された下り制御信号、下りデータ信号などを、受信信号処理部４０４から取得する。制御部４０１は、下りデータ信号に対する再送制御の要否を判定した結果、下り制御信号などに基づいて、上り制御信号、上りデータ信号などの生成を制御する。
【０１２０】
制御部４０１は、無線基地局１０から通知された各種情報を受信信号処理部４０４から取得した場合、当該情報に基づいて制御に用いるパラメータを更新してもよい。
【０１２１】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１２２】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１２３】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１２４】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１２５】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び受信処理後の信号の少なくとも一方を、測定部４０５に出力する。
【０１２６】
測定部４０５は、受信した信号に関する測定を実施する。測定部４０５は、本開示に係る技術分野での共通認識に基づいて説明される測定器、測定回路又は測定装置から構成することができる。
【０１２７】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１２８】
なお、送受信部２０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１２９】
なお、送受信部２０３は、送信ビームを用いて信号を送信してもよいし、受信ビームを用いて信号を受信してもよい。送受信部２０３は、制御部４０１によって決定された所定のビームを用いて信号を送信及び／又は受信してもよい。
【０１３０】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成する制御を行ってもよい。
【０１３１】
また、送受信部２０３は、上り共有チャネル（ＰＵＳＣＨ）の送信を指示する下り制御情報（ＤＣＩ）を受信してもよい。送受信部２０３は、当該ＤＣＩに基づいてＰＵＳＣＨを送信してもよい。
【０１３２】
また、制御部４０１は、受信信号処理部４０４から取得した下り制御情報（ＤＣＩ）に含まれる時間ドメインリソース割り当て（ＲＡ：Resource  Allocation）フィールドのサイズが、上記ＤＣＩのフォーマットに応じて異なると判断し、当該フィールドに基づいて、上記ＰＵＳＣＨの送信を制御（例えば、送信時間、送信タイミングなどを制御）してもよい。
【０１３３】
制御部４０１は、前記ＤＣＩのフォーマットがＤＣＩフォーマット０＿１である場合、前記フィールドのサイズが最大６ビットであると想定してもよい。
【０１３４】
制御部４０１は、前記ＤＣＩのフォーマットがＤＣＩフォーマット０＿０である場合、前記フィールドのサイズが４ビットであると想定してもよい。
【０１３５】
制御部４０１は、前記ＤＣＩがユーザ端末固有サーチスペースにおいて受信された場合、又は前記ＤＣＩが共通サーチスペースにおいて受信され、かつＣ−ＲＮＴＩ（Cell-Radio  Network  Temporary  Identifier）によってＣＲＣ（Cyclic  Redundancy  Check）スクランブルされている場合、ＤＣＩフォーマット０＿１に関する時間ドメインＲＡ候補のリストに基づいて、前記上り共有チャネルの送信を制御してもよい。
【０１３６】
制御部４０１は、前記ＤＣＩが共通サーチスペースにおいて受信され、かつＴＣ−ＲＮＴＩ（Temporary  C-RNTI）によってＣＲＣスクランブルされている場合、又は前記ＤＣＩがランダムアクセスレスポンスに含まれる場合、ＤＣＩフォーマット０＿１に関する時間ドメインＲＡ候補のリストとは異なる時間ドメインＲＡ候補のリストに基づいて、前記上り共有チャネルの送信を制御してもよい。
【０１３７】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０１３８】
例えば、本開示の一実施形態における無線基地局、ユーザ端末などは、本開示の無線通信方法の処理を行うコンピュータとして機能してもよい。図７は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１４０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１４１】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１４３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１４４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１４５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１４６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１４７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１５０】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１５２】
ここで、ニューメロロジーとは、ある信号又はチャネルの送信及び受信の少なくとも一方に適用される通信パラメータであってもよい。例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１５３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１５４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルで構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１５５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１５６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１５９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１６１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。
【０１６３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。
【０１６４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１６５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１６６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１６７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１６８】
本開示においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１６９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１７１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１７２】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１７３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１７４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１７５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１７６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１７７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１７８】
本開示において使用する「システム」及び「ネットワーク」という用語は、互換的に使用され得る。
【０１７９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０１８０】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１８１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１８２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１８３】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０１８４】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１８５】
同様に、本開示におけるユーザ端末は、無線基地局で読み替えてもよい。この場合、上述のユーザ端末２０が有する機能を無線基地局１０が有する構成としてもよい。
【０１８６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１８７】
本開示において説明した各態様／実施形態は単独で用いてもよいし、組み合わせて用いてもよいし、実行に伴って切り替えて用いてもよい。また、本開示で説明した各態様／実施形態の処理手順、シーケンス、フローチャートなどは、矛盾の無い限り、順序を入れ替えてもよい。例えば、本開示で説明した方法については、例示的な順序で様々なステップの要素を提示しており、提示した特定の順序に限定されない。
【０１８８】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０１８９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０１９１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０１９２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０１９３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９４】
また、「判断（決定）」は、「想定する（assuming）」、「期待する（expecting）」、「みなす（considering）」などで読み替えられてもよい。
【０１９５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０１９６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０１９７】
本開示において、「ＡとＢが異なる」という用語は、「ＡとＢが互いに異なる」ことを意味してもよい。「離れる」、「結合される」などの用語も同様に解釈されてもよい。
【０１９８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０１９９】
本開示において、例えば、英語でのa,  an及びtheのように、翻訳によって冠詞が追加された場合、本開示は、これらの冠詞の後に続く名詞が複数形であることを含んでもよい。
【０２００】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2019193733.tif 000003
【図２】
2019193733.tif 000004
【図３】
2019193733.tif 000005
【図４】
2019193733.tif 000006
【図５】
2019193733.tif 000007
【図６】
2019193733.tif 000008
【図７】
2019193733.tif 000009
【国際調査報告】
2019193733.tif 000010
2019193733.tif 000011
2019193733.tif 000012
2019193733.tif 000013